(57)【特許請求の範囲】
【請求項１】
ユーザから動作設定の操作を受け付ける操作手段と、
周囲温度を検出する温度センサ手段と、
空調機側へ動作設定および周囲温度の情報を送信する送信手段と、
前記動作設定の情報の送信タイミングまたは所定の周期で前記温度センサ手段に周囲温度を検出させ、ユーザの操作状態に応じて空調機側へ送信する周囲温度を決定する制御手段と、
を備え、
前記制御手段は、前記操作手段において操作を受けている期間、前記温度センサ手段による周囲温度の検出を停止し、前記操作手段において操作が開始された時に検出された周囲温度を前記空調機側へ送信する周囲温度とする、
ことを特徴とするリモートコントローラ。
【請求項２】
前記制御手段は、さらに、前記操作手段における操作終了後から当該操作手段が操作されていた期間が経過するまでの期間、前記温度センサ手段による周囲温度の検出を停止し、前記操作手段において操作が開始された時に検出された周囲温度を前記空調機側へ送信する周囲温度とする、
ことを特徴とする請求項１に記載のリモートコントローラ。
【請求項３】
前記制御手段は、さらに、前記操作手段における操作終了後から当該操作手段が操作されていた期間が経過するまでの期間、前記操作手段において操作が開始された時に検出された周囲温度、操作終了時に検出された周囲温度、および現在検出された周囲温度、に基づいて補正した周囲温度を前記空調機側へ送信する周囲温度とする、
ことを特徴とする請求項１に記載のリモートコントローラ。
【請求項４】
前記制御手段は、前記操作手段において操作を受け付けたときを操作開始とし、前記操作手段において所定の期間操作を受け付けなかったときを操作終了とする、
ことを特徴とする請求項１、２または３に記載のリモートコントローラ。
【請求項５】
さらに、自身の動きを検知する加速度センサ手段、を備え、
前記制御手段は、前記加速度センサ手段において動きを検知したとき、または前記操作手段において操作を受け付けたときを操作開始とし、前記加速度センサ手段において所定の期間動きを検知しなかったとき、または前記操作手段において所定の期間操作を受け付けなかったときを操作終了とする、
ことを特徴とする請求項１〜４のいずれか１つに記載のリモートコントローラ。
【発明の詳細な説明】
【技術分野】
【０００１】
本発明は、周囲温度を検出して空調機本体へ送信するリモートコントローラに関する。
【背景技術】
【０００２】
従来、空気調和機用のリモートコントローラ（以下、リモコンとする。）には、周囲温度を測定してその温度を空調機本体へ送信するものがある。空調機では、リモコンで測定されたユーザ付近の温度に基づいて空調制御を行うことにより、快適な制御を実現する。このようなリモコンは、内部に温度センサを備えているが、発熱を伴う電気部品も内部に含まれることから、温度センサが発熱の影響を受けるおそれがある。また、ユーザの操作中、リモコンはユーザに保持されていることから、ユーザの体温による影響も受ける。そこで、下記特許文献１では、リモコン内部に備えられた温度センサ出力データ補正手段が、温度センサの出力データを補正、具体的には所定温度低くする技術が開示されている。
【先行技術文献】
【特許文献】
【０００３】
【特許文献１】特開２００１−１５３４３７号公報
【発明の概要】
【発明が解決しようとする課題】
【０００４】
しかしながら、上記従来の技術によれば、補正を行うか否かはユーザが設定する必要がある。そのため、ユーザが操作を誤った場合には温度補正が機能しない、という問題があった。また、補正温度をユーザが任意で設定する必要がある。そのため、例えば、補正温度を高く取り過ぎた場合には実室温より測定温度の方が高くなり、部屋の温度が設定より低くなる、という問題があった。
【０００５】
本発明は、上記に鑑みてなされたものであって、ユーザが補正設定を行うことなく周囲の空気以外の温度変化の要因を除外して、検出した温度を空調機本体へ送信可能なリモートコントローラを得ることを目的とする。
【課題を解決するための手段】
【０００６】
上述した課題を解決し、目的を達成するために、本発明は、ユーザから動作設定の操作を受け付ける操作手段と、周囲温度を検出する温度センサ手段と、空調機側へ動作設定および周囲温度の情報を送信する送信手段と、前記動作設定の情報の送信タイミングまたは所定の周期で前記温度センサ手段に周囲温度を検出させ、ユーザの操作状態に応じて空調機側へ送信する周囲温度を決定する制御手段と、を備え、前記制御手段は、前記操作手段において操作を受けている期間、前記温度センサ手段による周囲温度の検出を停止し、前記操作手段において操作が開始された時に検出された周囲温度を前記空調機側へ送信する周囲温度とする、ことを特徴とする。
【発明の効果】
【０００７】
本発明によれば、ユーザが補正設定を行うことなく周囲の空気以外の温度変化の要因を除外して、検出した温度を空調機本体へ送信することができる、という効果を奏する。
【図面の簡単な説明】
【０００８】
【図１】図１は、空調機システムの構成例を示す図である。
【図２】図２は、ワイヤレスリモコンの構成例を示す図である。
【図３】図３は、ワイヤレスリモコンの周囲温度検出動作を示すフローチャートである。
【図４】図４は、ワイヤレスリモコンの周囲温度検出動作を示すフローチャートである。
【図５】図５は、ワイヤレスリモコンの周囲温度検出動作を示すフローチャートである。
【図６】図６は、検出温度の変化を示す図である。
【図７】図７は、ワイヤードリモコンの構成例を示す図である。
【図８】図８は、ワイヤードリモコンが壁に設置されている例を示す図である。
【発明を実施するための形態】
【０００９】
以下に、本発明にかかるリモートコントローラの実施の形態を図面に基づいて詳細に説明する。なお、この実施の形態によりこの発明が限定されるものではない。
【００１０】
実施の形態１．
図１は、本実施の形態のリモコンを備えた空調機システムの構成例を示す図である。空調機システムは、ワイヤレスリモコン１０１と、対向機１０２と、空調機本体１０３と、ワイヤードリモコン１０４と、を備える。
【００１１】
ワイヤレスリモコン１０１と対向機１０２は、それぞれ無線送受信機能を搭載しており、空調機本体１０３の設定情報や各種センサの検出値などを無線で通信する。空調機本体１０３は、対向機１０２と有線で接続され、ワイヤレスリモコン１０１からの設定情報等を対向機１０２から受け取り、ヒートポンプによって冷媒の温度調節を行い冷暖房機能や給湯機能を実現する。ワイヤードリモコン１０４は、空調機本体１０３と有線で接続され、ユーザ操作による設定温度情報を空調機本体１０３に設定し、また、事前にプログラムされた動作スケジュールにより、空調機本体１０３の動作設定を自動で行う。
【００１２】
つぎに、ワイヤレスリモコン１０１の構成について説明する。図２は、ワイヤレスリモコン１０１の構成例を示す図である。ワイヤレスリモコン１０１は、操作部２０１と、表示部２０２と、制御部２０３と、電源部２０４と、送信部２０５と、受信部２０６と、センサ部２０７と、を備える。
【００１３】
操作部２０１は、ボタンなどのスイッチやタッチパネルなどから構成されており、ユーザが所望する動作・設定の入力を受け付け、その情報を後述する制御部２０３に送信する。表示部２０２は、ＬＣＤパネルや有機ＥＬパネル、ＬＥＤなどから構成されており、設定温度や動作モードなどの機器情報、無線通信感度や通信状態などを数値やアイコン等の表示、ＬＥＤの点灯状態によってユーザに通知する。制御部２０３は、ＣＰＵやメモリなどから構成されており、主に周辺機器や通信データなどの制御や処理、表示部２０２に表示する情報の制御、操作部２０１からの入力信号の処理・記憶、センサ部２０７での検出情報処理などを行う。電源部２０４は、乾電池やリチウムイオン電池などの１次・２次電池とレギュレータ・ＤＣ／ＤＣコンバータなどの変圧回路から構成されており、システム全体の回路、部品に電源を供給する。送信部２０５は、アンテナや赤外線発光素子などから構成されており、制御部２０３から送信された情報を電波や赤外線に変換し、対向機１０２側の受信部に向けて送信する。受信部２０６は、アンテナやフォトダイオードなどから構成されており、対向機１０２から送信された無線信号を受信し、制御部２０３へ送信する。センサ部２０７は、サーミスタなどの温度センサ、加速度センサ、照度センサ、タッチセンサ、指紋認証モジュールなどから構成されており、周辺情報のセンシングや個人認証などを行い、その情報を制御部２０３へ送信する。
【００１４】
ワイヤレスリモコン１０１の主要な動作は、サーミスタ等により検出された周囲温度などの取得情報やユーザ操作情報を対向機１０２へ送信すること、および対向機１０２から送信される応答情報や空調機本体１０３の動作情報を受信すること、の２つである。ここで、ワイヤレスリモコン１０１は、温度検出や通信を常時行うわけではなく、ユーザ操作による動作設定の情報を送信するタイミングや一定間隔での定時通信のタイミングで制御部２０３を起動し、制御部２０３がセンサ部２０７のサーミスタ等における温度検出を制御し、検出した周囲温度／ユーザ操作による動作設定の情報を対向機１０２へ送信する。
【００１５】
つづいて、ワイヤレスリモコン１０１において、周囲温度を検出する動作について説明する。図３は、ワイヤレスリモコン１０１の周囲温度検出動作を示すフローチャートである。まず、制御部２０３において、ユーザによってワイヤレスリモコン１０１が操作されていることを検知しない場合（ステップＳ１：Ｎｏ）、ユーザ操作を検知する（ステップＳ１：Ｙｅｓ）まで待機する。
【００１６】
ユーザ操作の検知方法については、操作部２０１が操作されたタイミングや、センサ部２０７の加速度センサなどの出力より検知する方法があるが、これに限定するものではない。ユーザの動きを検知できるものであれば、同等の効果を得ることができる。例えば、ユーザがワイヤレスリモコン１０１を操作していないが保持している場合でも、ワイヤレスリモコン１０１の温度が変化すると考えられるが、加速度センサを備えることによってこのような場合にも対応することができる。
【００１７】
つぎに、ユーザ操作を検知した場合（ステップＳ１：Ｙｅｓ）、制御部２０３は、そのタイミングで周囲の温度を検出し（ステップＳ２）、検出した温度を記憶する（このときの温度をＡ℃とする）。そして、温度検出を停止する（ステップＳ３）。ワイヤレスリモコン１０１では、制御部２０３が、ユーザ操作中は検出温度をＡ℃として、対向機１０２への送信タイミングでは検出温度Ａ℃として送信する（ステップＳ４）。
【００１８】
そして、制御部２０３では、ユーザによってワイヤレスリモコン１０１操作中は（ステップＳ５：Ｎｏ）、送信する検出温度をＡ℃とし（ステップＳ４）、ユーザによるワイヤレスリモコン１０１操作の終了を検知したときは（ステップＳ５：Ｙｅｓ）、周囲の温度検出を開始する（ステップＳ６）。そして、以降の対向機１０２への送信タイミングでは、随時検出する周囲温度を送信する。
【００１９】
ユーザによる操作終了を検知する方法としては、操作部２０１が一定時間操作されていないことを検出する方法や、加速度センサなどの出力が一定時間安定していることを検出する方法などがあるが、これに限定するものではない。
【００２０】
以上説明したように、本実施の形態では、ワイヤレスリモコン１０１は、ユーザ操作開始時の周囲温度を記憶し、ユーザが操作している間は温度検出を行わず、記憶している周囲温度を検出温度として送信することとした。これにより、ユーザが補正設定を行うことなく、操作しているユーザの熱によって周囲温度とは異なることになった温度を検出せず、その影響を除外して検出温度を対向機１０２へ送信することができる。
【００２１】
実施の形態２．
実施の形態１では、ユーザがワイヤレスリモコン１０１を操作している間は温度検出を行わないことでユーザの熱の影響を除外していた。本実施の形態では、ユーザが操作を行っている間にリモコン自体にユーザの熱が伝わり、その影響により検出温度が周囲温度と異なる場合に、その影響を除外して周囲温度を正確に検出する方法について説明する。実施の形態１と異なる部分について説明する。
【００２２】
図４は、ワイヤレスリモコン１０１の周囲温度検出動作を示すフローチャートである。まず、制御部２０３において、ユーザによってワイヤレスリモコン１０１が操作されていることを検知しない場合（ステップＳ１１：Ｎｏ）、ユーザ操作を検知する（ステップＳ１１：Ｙｅｓ）まで待機する。
【００２３】
つぎに、ユーザ操作を検知した場合（ステップＳ１１：Ｙｅｓ）、制御部２０３は、そのタイミングで周囲の温度を検出し（ステップＳ１２）、検出した温度を記憶する（このときの温度をＡ℃とする）。そして、温度検出を停止する（ステップＳ１３）。ワイヤレスリモコン１０１では、制御部２０３が、ユーザ操作中は検出温度をＡ℃として、対向機１０２への送信タイミングでは検出温度Ａ℃として送信する（ステップＳ１４）。
【００２４】
さらに、制御部２０３は、ユーザ操作を検知したタイミングでタイマーをスタートさせる（ステップＳ１５）。そして、制御部２０３では、ユーザによってワイヤレスリモコン１０１操作中は（ステップＳ１６：Ｎｏ）、送信する検出温度をＡ℃とし（ステップＳ１４）、ユーザによるワイヤレスリモコン１０１操作の終了を検知したときは（ステップＳ１６：Ｙｅｓ）、タイマーをストップする（ステップＳ１７）。
【００２５】
制御部２０３は、このときのタイマー時間（Ｔ秒）を記憶し（ステップＳ１８）、その後、記憶したタイマー時間（Ｔ秒）カウントする（ステップＳ１９）。この間も、対向機１０２への送信タイミングでは検出温度Ａ℃として送信する（ステップＳ１４）。そして、制御部２０３は、記憶したタイマー時間（Ｔ秒）カウント後、周囲の温度検出を開始する（ステップＳ２０）。そして、以降の対向機１０２への送信タイミングでは、随時検出する周囲温度を送信する。
【００２６】
なお、対向機１０２へ送信する温度は、周囲温度を検出した値をそのまま使う方法について説明したが、これに限定するものではない。例えば、数度検出した結果を平均化した値を送信するようにしてもよい。突発的な要因により生じた温度変化の影響を除外することができる。
【００２７】
また、操作時間Ｔ秒経過後に温度検出を開始する方法について説明したが、これに限定するものではない。例えば、一定時間温度が安定していることを検出してから、温度検出を開始してもよい。また、これらの２つの条件を併せてもよい。操作終了後のＴ秒間の間に生じた突発的な要因による温度変化の影響を除外することができる。
【００２８】
また、操作時間Ｔ秒経過後に温度検出を開始することとしたが、これに限定するものではない。例えば、Ｔ秒に所定の係数を乗算した期間は、温度検出を停止し、対向機１０２への送信タイミングでは検出温度Ａ℃として送信してもよい。リモコンの放熱が緩やかな場合にも対応することができる。
【００２９】
以上説明したように、本実施の形態では、ワイヤレスリモコン１０１は、ユーザ操作開始時の周囲温度を記憶し、ユーザが操作している間、およびユーザ操作終了からユーザが操作していた時間については温度検出を行わず、記憶している周囲温度を検出温度として送信することとした。これにより、ユーザが補正設定を行うことなく、操作しているユーザの熱によって周囲温度とは異なることになった温度を検出せず、さらに、温度が変化したワイヤレスリモコン１０１の筐体温度が戻るまで、その影響を除外して検出温度を対向機１０２へ送信することができる。
【００３０】
実施の形態３．
実施の形態２では、操作中にユーザの体温によりワイヤレスリモコン１０１の温度と周囲温度との間に差が発生した場合に周囲温度と同等になるまで温度検出を行わないことでユーザによる熱の影響を除外していた。本実施の形態では、ワイヤレスリモコン１０１で検出した温度を補正する方法について説明する。実施の形態２と異なる部分について説明する。
【００３１】
図５は、ワイヤレスリモコン１０１の周囲温度検出動作を示すフローチャートである。まず、制御部２０３において、ユーザによってワイヤレスリモコン１０１が操作されていることを検知しない場合（ステップＳ２１：Ｎｏ）、ユーザ操作を検知する（ステップＳ１１：Ｙｅｓ）まで待機する。
【００３２】
つぎに、ユーザ操作を検知した場合（ステップＳ２１：Ｙｅｓ）、制御部２０３は、そのタイミングで周囲の温度を検出し（ステップＳ２２）、検出した温度を記憶する（このときの温度をＢ℃とする）。そして、温度検出を停止する（ステップＳ２３）。ワイヤレスリモコン１０１では、制御部２０３が、ユーザ操作中は検出温度をＢ℃として、対向機１０２への送信タイミングでは検出温度Ｂ℃として送信する（ステップＳ２４）。
【００３３】
さらに、制御部２０３は、ユーザ操作を検知したタイミングでタイマーをスタートさせる（ステップＳ２５）。そして、制御部２０３では、ユーザによってワイヤレスリモコン１０１操作中は（ステップＳ２６：Ｎｏ）、送信する検出温度をＢ℃とし（ステップＳ２４）、ユーザによるワイヤレスリモコン１０１操作の終了を検知したときは（ステップＳ２６：Ｙｅｓ）、タイマーをストップし（ステップＳ２７）、このときのタイマー時間（Ｕ秒）を記憶する（ステップＳ２８）。
【００３４】
制御部２０３は、記憶したＵ秒のタイマーをスタートする（ステップＳ２９）。そして、制御部２０３は、温度検出を開始し（ステップＳ３０）、検出した温度を記憶する（このときの温度をＣ℃とする）（ステップＳ３１）。このとき、制御部２０３は、検出温度として補正した温度を用いて（ステップＳ３２）、対向機１０２への送信タイミングで送信する。制御部２０３は、Ｕ秒経過（タイマー＝０）するまでは（ステップＳ３３：Ｎｏ）、検出温度として補正温度を用い（ステップＳ３２）、Ｕ秒経過（タイマー＝０）後（ステップＳ３３：Ｙｅｓ）、補正処理を終了し、以降の対向機１０２への送信タイミングでは、随時検出する周囲温度を送信する（ステップＳ３４）。
【００３５】
ここで、補正温度を算出する方法について説明する。図６は、検出温度の変化を示す図である。実線は、ユーザが操作してから操作終了し、さらに、その操作時間が経過するまで周囲温度が２０℃であった場合を示す。また、破線は、ユーザが操作終了してから周囲温度が変化し２１℃になった場合の検出温度変化を示す。
【００３６】
まず、ワイヤレスリモコン１０１では、制御部２０３が、ユーザ操作開始時点で検出温度Ｂ＝２０℃（検出開始温度）を記憶する。つぎに、ユーザ操作が終了するまでタイマーを動かし、終了した時点での検出温度Ｃ＝２３℃（操作完了温度）とユーザ操作時間Ｕ＝１０秒（操作時間）を記憶する。ここで、制御部２０３は、ユーザ操作終了から５秒経過した時点の検出温度（補正算出温度）から温度変化の傾きを算出する。
【００３７】
例えば、実線の温度変化では傾き−０．３℃／秒、破線の温度変化では傾き−０．２℃／秒となる。制御部２０３では、前記検出開始温度、前記操作完了温度および操作時間から、あらかじめ傾きが−０．３℃／秒となる事を予測している。そのため、操作完了から５秒経過するまでは、検出温度として補正温度２０℃を対向機１０２へ送信する。しかし、操作完了から５秒経過した後の補正算出温度（Ｃ＝２２℃）と操作完了温度から、制御部２０３では、周囲温度が変化したことを検知する。そのため、操作完了５秒後から１０秒経過するまでの間は、前記破線に示す傾きに従って、検出温度として新たに補正温度２１℃を対向機１０２へ送信する。
【００３８】
なお、操作完了から補正値算出までの時間を５秒としたが、これに限定するものではない。５秒より長い時間でもよいし、短い時間でもよい。また、ここでは、操作終了からＵ＝１０秒間で１回しか温度検出をしていないが、複数回行ってもよい。このとき、各回で補正温度が異なってもよい。これにより、周囲温度が変化し続けている場合にも対応することができる。
【００３９】
また、検出開始温度、操作完了温度、および操作時間から温度変化の傾きを算出し、操作完了から一定時間経過後の温度勾配から補正温度を随時算出する方法について説明したが、これに限定するものではない。例えば、ワイヤレスリモコン１０１内にあらかじめ温度変化の傾きと操作完了温度から決定されるテーブルを備え、制御部２０３がこのテーブルを参照することによって補正温度を決定してもよい。これにより、例えば、高温時には熱放射が遅く低温時には熱放射が速い等、温度によって特性が変化する場合にも対応可能となる。
【００４０】
以上説明したように、本実施の形態では、ワイヤレスリモコン１０１は、ユーザ操作開始時の周囲温度を記憶し、ユーザが操作している間は温度検出を行わずに操作開始時の周囲温度を検出温度とし、ユーザ操作終了からユーザ操作時間経過するまでは補正温度を検出温度として送信することとした。これにより、ユーザが補正設定を行うことなく、操作しているユーザの熱によって周囲温度とは異なることになった温度を検出せず、さらに、温度が変化したワイヤレスリモコン１０１の筐体温度が戻るまで、その影響を除外して検出温度を対向機１０２へ送信することができる。また、ユーザ操作開始後、周囲温度が変化した場合においても、補正の際に対応することができる。
【００４１】
実施の形態４．
実施の形態１〜３では、ユーザがリモコンを操作することにより、周囲温度と異なる温度を検出する場合について説明した。本実施の形態では、リモコン設置箇所の躯体の影響を除外して正確な周囲温度を検出可能なリモコンについて説明する。
【００４２】
図７は、ワイヤードリモコン１０４の構成例を示す図である。ワイヤードリモコン１０４は、操作部３０１と、表示部３０２と、制御部３０３と、電源部３０４と、通信部３０５と、センサ部３０６と、を備える。
【００４３】
操作部３０１は、ボタンなどのスイッチやタッチパネルなどから構成されており、ユーザが所望する動作・設定の入力を受け付け、その情報を後述する制御部３０３に送信する。表示部３０２は、ＬＣＤパネルや有機ＥＬパネル、ＬＥＤなどから構成されており、設定温度や動作モードなどの機器情報、スケジュールやＣＯ2排出量やエラー情報などを数値やアイコン等の表示、ＬＥＤの点灯状態によってユーザに通知する。制御部３０３は、ＣＰＵやメモリなどから構成されており、主に周辺機器や通信データなどの制御や処理、表示部３０２に表示する情報の制御、操作部３０１からの入力信号の処理・記憶、センサ部３０６での検出情報処理などを行う。電源部３０４は、ＡＣ１００／２００ＶやＤＣ電源などの１次電源とレギュレータ・ＤＣ／ＤＣコンバータなどの変圧回路から構成されており、システム全体の回路、部品に電源を供給する。通信部３０５は、通信ケーブルや変復調回路などから構成されており、制御部３０３から送信された情報を変調して空調機本体１０３側に送信し、また、空調機本体１０３から送信された変調信号から所望のデータを復調し制御部３０３へ送信する。センサ部３０６は、サーミスタなどの温度センサ、加速度センサ、照度センサ、タッチセンサ、指紋認証モジュールなどから構成されており、周辺情報のセンシングや個人認証などを行い、その情報を制御部３０３へ送信する。
【００４４】
ワイヤードリモコン１０４は、常時温度検出や通信を行うわけではなく、ユーザ操作による動作設定の情報を送信するタイミングや一定間隔での定時通信のタイミングで制御部３０３を起動し、制御部３０３がセンサ部３０６のサーミスタ等における温度検出を制御し、検出した周囲温度／ユーザ操作による動作設定の情報を空調機本体１０３へ送信する。
【００４５】
つづいて、ワイヤードリモコン１０４において、周囲温度を検出する動作について説明する。図８は、ワイヤードリモコン１０４が壁に設置されている例を示す図である。設置されたワイヤードリモコン１０４を横から見たものである。
【００４６】
ワイヤードリモコン１０４は、センサ部３０６として、サーミスタを２つ（Ａ、Ｂ）搭載しており、それぞれ壁からの距離が異なる位置に実装されている。サーミスタＡは壁からの距離がαｍｍであり、サーミスタＢは壁からの距離がβｍｍであり、α＞βの関係である。例えば、空気温度が壁の温度より高かった場合、各サーミスタは壁の温度の影響により実際の空気温度より低い温度を検出する。しかし、壁からの距離が異なることによって生じるサーミスタＡとサーミスタＢの検出温度の差異から、制御部３０３では、壁の温度の影響により検出温度に生じた実温度との差異（例えば、サーミスタＡに生じた実温度との差異を補正値Ｚ℃とする。）を算出することが出来る。そのため、サーミスタＡで検出された温度に差異である補正値Ｚ℃を加算することにより、ワイヤードリモコン１０４では、壁の温度の影響を受けることなく、正確な周囲温度を測定することが出来る。
【００４７】
なお、壁の温度の影響は材料や材質によって異なることから、設置時にユーザが材料等を設定できるようにしてもよい。また、あらかじめ一般的な値をワイヤードリモコン１０４が記憶しておき、その値を使用してもよい。ワイヤードリモコン１０４が設置される場所はコンクリート材が一般的であるため、例えば、サーミスタＡとサーミスタＢでの検出温度の差異とサーミスタＡでの差異温度Ｚ℃との関係をあらかじめテーブルとして保持することも可能である。
【００４８】
また、設置する場所としてコンクリート材の壁に限定せず、数種類の壁材に対応したテーブルを保持し、ワイヤードリモコン１０４を設置する個所の壁材をユーザが選択できるようにしてもよい。壁材が異なる場所に設置する場合にも対応することができる。
【００４９】
以上説明したように、本実施の形態では、ワイヤードリモコン１０４は、壁からの距離が異なる２つのサーミスタから壁の温度の影響として補正値を算出し、サーミスタで検出された温度を補正することした。これにより、ユーザが補正設定を行うことなく、設置された環境要因による温度検出への影響を除外して、検出温度を空調機本体１０３送信することができる。
【符号の説明】
【００５０】
１０１  ワイヤレスリモコン
１０２  対向機
１０３  空調機本体
１０４  ワイヤードリモコン
２０１  操作部
２０２  表示部
２０３  制御部
２０４  電源部
２０５  送信部
２０６  受信部
２０７  センサ部
３０１  操作部
３０２  表示部
３０３  制御部
３０４  電源部
３０５  通信部
３０６  センサ部
【図１】
0005535125.tif 000002
【図２】
0005535125.tif 000003
【図３】
0005535125.tif 000004
【図４】
0005535125.tif 000005
【図５】
0005535125.tif 000006
【図６】
0005535125.tif 000007
【図７】
0005535125.tif 000008
【図８】
0005535125.tif 000009